(57)【特許請求の範囲】
【請求項１】
少なくとも乗場ボタンが設けられた乗場操作盤と、
乗場操作盤が取り付けられることができる乗場壁窪み部と、
乗場操作盤が乗場壁窪み部から取り外されたときに、乗場操作盤の代替として使用され、少なくとも乗場ボタンが設けられた代替用乗場操作盤と、
を備え、
代替用乗場操作盤は、乗場ボタンと階床表示部とを有する本体部と、本体部を乗場の床に設置するための脚部とを含んで構成され、
乗場壁窪み部から取り外された乗場操作盤に対して行う保守作業用の作業スペース部を含むことを特徴とするエレベータ。
【請求項２】
請求項１に記載のエレベータにおいて、
代替用乗場操作盤は、携帯可能であって乗場ボタンとデジタル階床表示部とを含んで構成されることを特徴とするエレベータ。
【請求項３】
請求項１または請求項２に記載のエレベータにおいて、
乗場壁窪み部は、代替用乗場操作盤を乗場壁窪み部に掛止させるための窪み側掛止部を含み、
代替用乗場操作盤は、窪み側掛止部と協働し代替用乗場操作盤が乗場壁窪み部に掛止されるための代替側掛止部を含んで構成されることを特徴とするエレベータ。
【請求項４】
請求項１から請求項３のいずれか１に記載のエレベータにおいて、
代替用乗場操作盤は、乗場操作盤が取り外された後の乗場壁窪み部内に配置可能な形状を有することを特徴とするエレベータ。
【請求項５】
請求項１に記載のエレベータにおいて、
乗場ボタンと階床表示部とを有する本体部と、本体部を乗場の床に設置するための脚部とは分離可能であることを特徴とするエレベータ。
【発明の詳細な説明】
【技術分野】
【０００１】
本発明は、エレベータに係り、特に、乗場操作盤を有するエレベータに関する。
【背景技術】
【０００２】
現在、商業施設等の様々な場所においてエレベータが設置されており、エレベータの各乗場壁には、乗場操作盤が設けられている。乗場操作盤の表面には、エレベータの乗りかごの位置をランプで点灯させることにより階床を表示する階床表示部を有している。また、その裏面には、表示する階床の数に対応した数の表示用ランプが付いた基板が設置されている。乗場操作盤は、機械室等にある電源等に繋がった通信ケーブル等を格納するための乗場壁窪み部に嵌め込まれて取り付けられる。乗場操作盤は、単純に、乗場壁窪み部に嵌め込まれて取り付けられているだけのため、乗場壁窪み部から簡単に取り外すことができる。
【０００３】
乗場操作盤の保守作業、例えば、表示用ランプの交換時には、保守作業員等が乗場操作盤を乗場壁窪み部から取り外す必要があり、取り外した後は利用者等が乗場操作盤の操作をすることができない。しかし、表示用ランプの交換時であっても、エレベータの運転は継続させることが必要な場合がある。従って、表示用ランプの交換中であってもエレベータを利用する乗客の利便性を確保することが好ましい。
【発明の開示】
【発明が解決しようとする課題】
【０００４】
本発明の目的は、乗場操作盤の保守作業時に、乗客の利便性を確保することができるエレベータを提供することである。
【課題を解決するための手段】
【０００５】
本発明に係るエレベータは、少なくとも乗場ボタンが設けられた乗場操作盤と、乗場操作盤が取り付けられることができる乗場壁窪み部と、乗場操作盤が乗場壁窪み部から取り外されたときに、乗場操作盤の代替として使用され、少なくとも乗場ボタンが設けられた代替用乗場操作盤と、を備え、代替用乗場操作盤は、乗場ボタンと階床表示部とを有する本体部と、本体部を乗場の床に設置するための脚部とを含んで構成され、乗場壁窪み部から取り外された乗場操作盤に対して行う保守作業用の作業スペース部を含むことを特徴とする。
【０００６】
また、本発明に係るエレベータにおいて、代替用乗場操作盤は、携帯可能であって乗場ボタンとデジタル階床表示部とを含んで構成されることが好ましい。
【０００７】
また、本発明に係るエレベータにおいて、乗場壁窪み部は、代替用乗場操作盤を乗場壁窪み部に掛止させるための窪み側掛止部を含み、代替用乗場操作盤は、窪み側掛止部と協働し代替用乗場操作盤が乗場壁窪み部に掛止されるための代替側掛止部を含んで構成されることが好ましい。
【０００８】
また、本発明に係るエレベータにおいて、代替用乗場操作盤は、乗場操作盤が取り外された後の乗場壁窪み部内に配置可能な形状を有することが好ましい。
【００１１】
また、本発明に係るエレベータにおいて、乗場ボタンと階床表示部とを有する本体部と、本体部を乗場の床に設置するための脚部とは分離可能であることが好ましい。
【発明の効果】
【００１２】
上記構成のエレベータによれば、乗場操作盤が乗場壁窪み部から取り外されたときに、乗場操作盤の代替として使用され、少なくとも乗場ボタンが設けられた代替用乗場操作盤を利用することができる。これにより、乗場操作盤の保守作業時、例えば乗場操作盤の裏面に設けられる表示用ランプの交換時にも、エレベータを利用でき乗客の利便性を確保することができる。
【００１３】
また、上記構成のエレベータによれば、表示用ランプの交換時は、一旦エレベータシステムの電源を落とした後に代替用乗場操作盤を仮設することで、表示用ランプの交換が完了する前に電源を仮復帰することができる。これにより、エレベータシステムの電源が停止している時間を短縮することができ、エレベータを利用する乗客の利便性を確保することができる。
【００１４】
上記構成の携帯可能であって乗場ボタンとデジタル階床表示部とを含んで構成される代替用乗場操作盤を有するエレベータによれば、保守作業員が表示用ランプの交換を行う際に代替用乗場操作盤を容易に持ち運びすることができる。
【００１５】
上記構成の窪み側掛止部と代替側掛止部とを有するエレベータによれば、代替用乗場操作盤を乗場壁窪み部に掛止することができる。このように、表示用ランプの交換時に、代替用乗場操作盤が乗場壁窪み部の近辺に設けられることで、乗場操作盤の代替用であることが分かりやすく、乗客の利便性を確保することができる。
【００１６】
上記構成の乗場壁窪み部に配置可能な形状を有する代替用乗場操作盤を備えるエレベータによれば、代替用乗場操作盤を乗場壁窪み部内に置くことができる。このように、表示用ランプの交換の際に、代替用乗場操作盤が乗場壁窪み部内に置くことで、乗場操作盤の代替用であることが分かりやすく、乗客の利便性を確保することができる。
【００１７】
上記構成の本体部と脚部とを含んで構成される代替用乗場操作盤を有するエレベータによれば、代替用乗場操作盤を乗場の床に設置することができる。このように、表示用ランプの交換時に、乗場の床に目立つような大きさの本体部を設け、さらに「ご利用ください」等の案内を付することで、より乗客に分かりやすく、乗客の利便性を確保することができる。
【００１８】
上記構成の作業スペース部を有する代替用乗場操作盤を備えるエレベータによれば、保守作業時に乗場操作盤を作業スペース部に置くことができる。これにより、保守作業員はかがんだ姿勢で作業を行う必要はなく、保守作業員の保守作業をやりやすくすることができる。
【００１９】
上記構成の本体部と脚部とが分離可能である代替用乗場操作盤を有するエレベータによれば、保守作業員が表示用ランプの交換時に代替用乗場操作盤を容易に持ち運びすることができる。
【発明を実施するための最良の形態】
【００２０】
以下に、本発明に係る実施の形態について添付図面を参照しながら詳細に説明する。なお、以下では、乗場操作盤と代替用乗場操作盤は、乗場ボタンと階床表示部とを含んで構成されるものとして説明するが、少なくとも乗場ボタンを含んで構成されるものであればよい。また、この説明において、具体的な形状、材料、数値、方向等は、本発明の理解を容易にするための例示であって、用途、目的、仕様等にあわせて適宜変更することができる。
【００２１】
図１は、本発明の第１実施形態であるエレベータ１０において保守作業員４が乗場操作盤４０を取り外して表示用ランプの交換作業を行っている間に乗客３が乗りかごの着床を待っている様子を示す図である。エレベータ１０は、乗りかごを移動させるために主ロープを巻き上げる巻上機とエレベータ制御盤（いずれも図示せず）と乗場壁８と乗場扉６と乗場操作盤４０と乗場壁窪み部３２と代替用乗場操作盤２０とを含んで構成される。乗場壁８は、昇降路と乗場との境界部分に位置する壁である。乗場扉６は、乗りかごが着床した際に開く両開きあるいは片開きの扉である。
【００２２】
乗場操作盤４０は、通常時は、乗場壁窪み部３２に対して嵌め込んで取り付けられている。乗場操作盤４０は、乗場壁窪み部３２から乗場操作盤４０を取り外し、乗場操作盤４０を乗場床に置いてかがんだ姿勢で保守作業を行う。乗場操作盤４０の表面には、乗りかごの呼びボタンである乗場ボタン４４とエレベータ１０の乗りかご位置が表示される階床表示部４２が設けられている。また、乗場操作盤４０の裏面側には、階床の表示数に対応する個数の図示しない表示用ランプを備えた基板が設けられている。表示用ランプを備えた基板には、先端にコネクタを有する通信ケーブル４６，４８が接続されている。
【００２３】
乗場壁窪み部３２は、表示用ランプを備えた基板に繋がった通信ケーブル４６，４８等を格納すると共に、乗場操作盤４０が乗場壁窪み部３２に対して嵌め込まれて取り付けられる部分である。乗場壁窪み部３２は、乗場壁８に乗場操作盤４０とほとんど同じ大きさであって適当な奥行きを有する直方体形状の窪みを形成することにより設けられる。乗場壁窪み部３２の下部には、後述する代替側掛止部２６と協働して代替用乗場操作盤２０を乗場壁窪み部３２に掛けるために逆Ｕ字形状の窪み側掛止部３３が設けられている。また、図１に示されるように通信ケーブル３５，３６は乗場壁窪み部３２の奥側面から機械室に向けて延伸している。
【００２４】
図２は、代替用乗場操作盤２０の拡大図である。代替用乗場操作盤２０は、乗場操作盤４０が乗場壁窪み部３２から取り外されたときに、乗場操作盤４０の代替として使用することができる。代替用乗場操作盤２０は、ＬＥＤ等を用いて乗りかごが位置する階をデジタルで表示する階床表示部２２と、上層階あるいは下層階に移動するために乗りかごを呼ぶ乗場ボタン２４と、代替用乗場操作盤２０の上部に設けられたフック形状を有する代替側掛止部２６と、先端部がコネクタを有する通信ケーブル２７，２８とを含んで構成される。代替用乗場操作盤２０は、保守作業員４が携帯可能なコンパクトサイズで構成されている。代替用乗場操作盤２０の通信ケーブル２７，２８と乗場壁窪み部３２の奥側面から機械室に向けて延伸している通信ケーブル３５，３６とを接続するとエレベータ全体を制御する制御部との通信が可能となり、階床表示部２２と乗場ボタン２４の操作が有効に機能する。そして、フック形状の代替側掛止部２６を逆Ｕ字形状の窪み側掛止部３３に引っ掛けて、代替用乗場操作盤２０を乗場壁窪み部３２に掛止することができる。
【００２５】
続いて、上記構成からなるエレベータ１０の動作について図１、図２を参照して説明する。乗場操作盤４０の裏面の表示用ランプの電球が切れてしまう場合には、取り替える必要が生じる。このとき、保守作業員４が乗場に来て乗場操作盤４０を取り外し、乗場操作盤４０の通信ケーブル４６，４８と通信ケーブル３５，３６との接続も切り離す。
【００２６】
そして、乗場操作盤４０が取り外された後に、代替用乗場操作盤２０のフック形状の窪み側掛止部３３を乗場壁窪み部３２の逆Ｕ字形状の代替側掛止部２６に引っ掛けて代替用乗場操作盤２０を乗場壁窪み部３２に対して掛止する。次に、代替用乗場操作盤２０の通信ケーブル２７，２８と通信ケーブル３５，３６とを接続するとエレベータ全体を制御する制御部との通信が可能となり、階床表示部２２と乗場ボタン２４の操作が有効となる。
【００２７】
上記のように、乗場操作盤４０の保守作業時には、保守作業員４が乗場操作盤４０を乗場壁窪み部３２から取り外すが、このとき乗場操作盤４０の代替として使用される少なくとも乗場ボタン２４が設けられた代替用乗場操作盤２０を利用することができる。これにより、乗場操作盤４０の裏面に設けられる表示用ランプの交換時に、乗客３が引き続きエレベータを利用することができる。
【００２８】
また、上記のように、表示用ランプの交換時は、一旦エレベータシステムの電源を落とし、表示用ランプの交換前に代替用乗場操作盤２０を仮設することで電源を仮復帰することができる。これにより、エレベータシステムの電源が停止している時間を短縮することができ、エレベータを利用する乗客の利便性を確保することができる。
【００２９】
また、上記のように、代替用乗場操作盤２０は、携帯可能であり、保守作業員４が表示用ランプの交換の際に容易に持ち運びすることができる。
【００３０】
また、上記のように、窪み側掛止部３３と代替側掛止部２６によれば、代替用乗場操作盤２０を乗場壁窪み部３２に掛止することができる。このように、表示用ランプの交換時に、代替用乗場操作盤２０が乗場壁窪み部３２の近辺に設けられることで、乗場操作盤４０の代替用であることが分かりやすく、乗客３の利便性を確保することができる。
【００３１】
次に、図３を参照して本発明の第２実施形態であるエレベータ１１について説明する。図３は、本発明の第２実施形態であるエレベータ１１において、保守作業員４が乗場操作盤４０を取り外して表示用ランプの交換作業を行っている間に、乗客３が乗りかごの着床を待っている様子を示す図である。ここで、エレベータ１１は、上記第１実施形態のエレベータ１０とほぼ同様の構成を有するため、同一構成要素には同一符号を付して重複することとなる説明を援用によって省略し、異なる構成およびその作用について説明する。エレベータ１１は、代替用乗場操作盤１２０を構成する部分が相違するため、以下では、特に、その内容について詳細な説明を行う。
【００３２】
代替用乗場操作盤１２０は、代替用乗場操作盤２０と同様に階床表示部２２と、乗場ボタン２４と、通信ケーブル２７，２８とを含んで構成され、乗場操作盤４０が乗場壁窪み部３２から取り外されたときに、乗場操作盤４０の代替として使用することができる。代替用乗場操作盤１２０は、直方体形状であって、乗場壁窪み部３２に嵌め込むためにその幅と高さと奥行きは乗場壁窪み部３２よりもひとまわり小さい形状を有している。なお、エレベータ１１における代替用乗場操作盤１２０は、乗場壁窪み部３２に掛止することがないため、代替側掛止部２６を有する必要がない点で代替用乗場操作盤２０と相違する。また、代替用乗場操作盤１２０が乗場壁窪み部３２に掛止することがないため、エレベータ１１における乗場壁窪み部３２は、窪み側掛止部３３を有しなくてもよい。
【００３３】
続いて、上記構成からなるエレベータ１１の動作について図３を参照して説明する。乗場操作盤４０の裏面に設けられた表示用ランプの電球が切れてしまうと取り替える必要がある。このとき、保守作業員４が乗場に来て乗場操作盤４０を取り外し、乗場の床において保守作業を行う。
【００３４】
そして、乗場操作盤４０が取り外された後に、乗場壁窪み部３２よりもひとまわり小さい形状の代替用乗場操作盤１２０を図３に示されるように、乗場壁窪み部３２内に嵌め込んで配置する。ここで、代替用乗場操作盤１２０も乗場壁窪み部３２の窪みも直方体形状でありその底面は平らであるから、代替用乗場操作盤１２０を乗場壁窪み部３２の窪みに安定して配置することができる。
【００３５】
次に、図４を参照して本発明の第３実施形態であるエレベータ１２について説明する。図４は、本発明の第３実施形態であるエレベータ１２において保守作業員４が乗場操作盤４０を取り外して表示用ランプの交換作業を行っている間に、乗客３が乗りかごの着床を待っている様子を示す図である。ここで、エレベータ１２は、上記第１実施形態のエレベータ１０とほぼ同様の構成を有するため、同一構成要素には同一符号を付して重複することとなる説明を援用によって省略し、異なる構成およびその作用について説明する。エレベータ１２は、代替用乗場操作盤２２０を構成する部分が相違するため、以下では、特に、その内容について詳細な説明を行う。
【００３６】
代替用乗場操作盤２２０は、乗場操作盤４０が乗場壁窪み部３２から取り外されたときに、乗場操作盤４０の代替として使用することができる。代替用乗場操作盤２２０は、階床表示部１２２と乗場ボタン１２４とを有する本体部１２３と、作業スペース部１２５と、脚部１３３と、先端部がコネクタを有する通信ケーブル１２７，１２８とを含んで構成される。階床表示部１２２は、ＬＥＤ等を用いて乗りかごが位置する階をデジタルで表示する機能を有する。乗場ボタン１２４は、乗りかごを呼ぶ機能を有する。
【００３７】
本体部１２３は、乗客３に目に付きやすい形状と大きさ（例えば、３２インチの大きさを有するテレビのような形状）であり、乗りかごの階床をデジタルで表示する階床表示部１２２と、乗場ボタン１２４が設けられる。本体部１２３の表面部には、「ご利用ください」からなる文字がＬＥＤ等によって表示される。
【００３８】
作業スペース部１２５は、本体部１２３の端部から乗場の床面と平行な方向に突出して設けられ、乗場操作盤４０を置くことのできる程度の大きさを有する平板で構成される。脚部１３３は、作業スペース部１２５の底面から乗場の床面に向けて突出する４つの突出部１３２と、図４に示されるように、乗場の床面に沿って配置され２つの突出部１３２を連結する連結部１３１とを含んで構成される。なお、作業スペース部１２５は、保守作業員４がかがんだ姿勢で作業を行う必要がないように乗場の床面から適当な高さ（例えば８０センチメートル）に位置するように設けられる。
【００３９】
続いて、上記構成からなるエレベータ１２の動作について図４を参照して説明する。乗場操作盤４０の裏面に設けられた表示用ランプの電球が切れてしまうと取り替える必要がある。このとき、保守作業員４が乗場に来て乗場操作盤４０を取り外す。ここで、エレベータ１２によれば、乗場操作盤４０を作業スペース部１２５に置いて保守作業を行うことができる。これにより、保守作業員４はかがんだ姿勢で作業を行う必要はなく、保守作業員４の作業環境の向上に貢献することができる。
【００４０】
また、代替用乗場操作盤２２０の通信ケーブル１２７，１２８と乗場壁窪み部３２の通信ケーブル３５，３６とを接続するとエレベータ全体を制御する制御部との通信が可能となり、階床表示部１２２と乗場ボタン１２４の操作が有効となる。
【００４１】
上記のように、乗場操作盤４０の保守作業時には、保守作業員４が乗場操作盤４０を乗場壁窪み部３２から取り外すが、このとき乗場操作盤４０の代替として使用される少なくとも乗場ボタン２４が設けられた代替用乗場操作盤２２０を利用することができる。これにより、乗場操作盤４０の裏面に設けられる表示用ランプの交換の際においても、乗客３が引き続きエレベータを利用することができる。
【００４２】
さらに、本体部１２３は、乗客３に目に付きやすい形状と大きさで、その表面部には、「ご利用ください」からなる文字がＬＥＤ等によって表示されるため、乗客３の注目を引きやすく保守作業中であってもエレベータを利用できることがわかりやすく、乗客３の利便性を確保することができる。
【００４３】
また、上記のように本体部１２３と脚部１３３とが分離可能である代替用乗場操作盤２２０を有するエレベータによれば、保守作業員４が表示用ランプの交換時に代替用乗場操作盤２００を容易に持ち運びすることができる。
【図面の簡単な説明】
【００４４】
【図１】本発明の第１実施形態であるエレベータを示す図である。
【図２】代替用乗場操作盤の拡大図である。
【図３】本発明の第２実施形態であるエレベータを示す図である。
【図４】本発明の第３実施形態であるエレベータを示す図である。
【符号の説明】
【００４５】
３  乗客、４  保守作業員、６  乗場扉、８  乗場壁、１０，１１，１２  エレベータ、２０，１２０，２００，２２０  代替用乗場操作盤、２２，１２２  階床表示部、２４，４４，１２４  乗場ボタン、２６  代替側掛止部、２７，２８，３５，３６，４６，４８，１２７，１２８  通信ケーブル、３２  乗場壁窪み部、３３  窪み側掛止部、４０  乗場操作盤、４２  階床表示部、１２３  本体部、１２５  作業スペース部、１３１  連結部、１３２  突出部、１３３  脚部。
【図１】
0005137667.tif 000002
【図２】
0005137667.tif 000003
【図３】
0005137667.tif 000004
【図４】
0005137667.tif 000005